(57)【要約】【課題】雄タブが２点支持された状態のまま雌雄両コネクタの嵌合を行う。【解決手段】本発明におけるコネクタ１は、雌コネクタＦと雄コネクタＭとが嵌合可能に設けられ、雄タブ１１がフード部１３内で移動可能に組み込まれたムービングプレート３０によって位置決め状態に保持されている。両コネクタＦ，Ｍの嵌合操作に伴って副係止部３６とストッパ面１８との係止状態が解除されることで、雄タブ収容部１２とプレート本体３２との間に所定間隔を保有したままムービングプレート３０が初期位置から嵌合位置へ移動し、嵌合位置に至るとプレート本体３２がフード部１３の奥壁に当接してムービングプレート３０の移動が規制されるとともに、主係止部３５と連係部２５との係止状態が解除されることで、雄タブ１１が２点支持された状態のまま雌コネクタＦがプレート本体３２側へ移動し、両コネクタＦ，Ｍを正規嵌合状態に至らしめることができる。【選択図】図２
2007317442.tif 000002
【特許請求の範囲】
【請求項１】
雌ハウジングとムービングプレートを有する雄ハウジングとが嵌合可能に設けられ、
前記雄ハウジングは、前方に開口するフード部と、そのフード部内の奥壁から前方に突出する雄タブと、前記フード部の内周面に設けられているストッパ面とが設けられ、
前記雌ハウジングは、前記雄ハウジングとの嵌合面寄りにおける外周面において外方に突出して設けられている連係部と、前後方向に沿って貫通するキャビティとが設けられ、そのキャビティ内には後方から雌端子が挿入されており、その雌端子は、前記嵌合操作に伴って前記雄タブと導通可能に接続し、
前記ムービングプレートは、前記雌ハウジング単体の状態における初期位置と前記両ハウジングが嵌まり合った状態における嵌合位置との間を移動可能に前記フード部内に組み込まれ、前記嵌合方向に対して直交するプレート本体と、前記連係部が係止する主係止部と、前記ストッパ面と解除可能に係止して前記嵌合位置側への移動を規制する副係止部とから構成され、前記主係止部と前記連係部との係止力が前記副係止部と前記ストッパ面との係止力よりも大きめとなるように設定されており、前記プレート本体には、前記嵌合方向に貫通する複数の端子挿通孔が開口し、
前記雄タブは、前記ムービングプレートが前記初期位置にあるときには前記雄タブの前端部を前記端子挿通孔に挿通させることで位置決め状態に保持されているとともに、前記嵌合操作に伴って前記主係止部と前記連係部とが係止したときには前記端子挿通孔の孔縁とこの端子挿通孔より前記雄タブの前端側に位置する前記タブ挿通孔の孔縁との双方によって所定間隔を保有した状態で前記雄タブの前端部が２点支持されているコネクタであって、
前記嵌合操作に伴って前記副係止部と前記ストッパ面との係止状態が解除されることで、前記所定間隔を保有したまま前記ムービングプレートが前記初期位置から前記嵌合位置へ移動し、前記嵌合位置に至ると前記プレート本体が前記フード部の奥壁に当接して前記ムービングプレートの移動が規制されるとともに、前記主係止部と前記連係部との係止状態が解除されることで、前記雄タブを２点支持しつつ前記雌ハウジングが前記プレート本体側へ移動し、前記両ハウジングが正規嵌合に至ることを特徴とするコネクタ。
【請求項２】
前記ムービングプレートは、前記プレート本体の外周縁部から立ち上がる側壁を有し、前記主係止部が前記側壁の内面側に設けられており、前記雌ハウジングが前記側壁の内側に入り込むことを特徴とする請求項１記載のコネクタ。
【請求項３】
前記フード部において前記ストッパ面よりも押し込み方向前方には、前記副係止部が前記ストッパ面を乗り越えた後、復帰して入り込むための逃がし空間が前記フード部の内周面を除肉することにより形成されていることを特徴とする請求項１または請求項２記載のコネクタ。
【請求項４】
前記ムービングプレートは、前記初期位置にあるときに前記フード部の内周面に配されている移動規制面と係止して抜け方向への移動を規制するための抜止め部を備えており、その抜止め部と前記移動規制面との係止力が前記主係止部と前記連係部との係止力よりも大きめとなるように設定されることで、前記両ハウジングの離脱操作に伴って前記主係止部と前記連係部とが係止して前記ムービングプレートが前記嵌合位置から前記初期位置へ連れ戻されると、前記抜止め部と前記移動規制面とが係止して前記主係止部と前記連係部との係止状態が解除されることで、前記ムービングプレートを前記初期位置に保持したまま前記雌ハウジングが引き抜かれることを特徴とする請求項１ないし請求項３のいずれかに記載のコネクタ。
【請求項５】
前記雌端子は、前記嵌合操作に伴って前記雄タブと接触する舌片を有し、前記初期位置は、前記嵌合操作に伴って前記主係止部と前記連係部とが係止した段階では前記雄タブが前記舌片に接触しないような位置であることを特徴とする請求項１ないし請求項４のいずれかに記載のコネクタ。
【発明の詳細な説明】
【技術分野】
【０００１】
本発明は、コネクタに関する。
【背景技術】
【０００２】
ムービングプレートを備えるコネクタの一般的構造としては、下記特許文献１に記載のものが知られている。このものは、雌雄両ハウジングが互いに嵌合可能に設けられ、雄ハウジングのフード部内には、前後方向に沿って平行に移動可能なムービングプレートが組み込まれている。ムービングプレートは、格子状に開口する端子挿通孔を有するプレート本体を備え、嵌合前に端子挿通孔を通じて雄タブの先端部を挿通させることで、雄タブの位置決めを行うためのものである。しかし、ムービングプレートは、嵌合初期においては、雄タブが雌ハウジングのタブ挿通孔を通じて雌端子の角筒部内に進入して端子挿通孔の孔縁とタブ挿通孔の孔縁とによって２点支持されることで、雄タブの姿勢矯正を行うという役割も果たしている。
【特許文献１】特開平５−２７５１３８号公報
【発明の開示】
【発明が解決しようとする課題】
【０００３】
しかしながら、このものは、嵌合の進行に伴って雌ハウジングの嵌合面がプレート本体と接触し、雄タブが１点支持された状態となるため、その後の嵌合操作においては雄タブが傾いた姿勢のまま雌端子内部に進入する等のおそれがある。本発明は上記のような事情に基づいて完成されたものであって、雄タブが２点支持された状態のまま両ハウジングの嵌合を行うことを目的とする。
【課題を解決するための手段】
【０００４】
上記の目的を達成するための手段として、請求項１の発明は、雌ハウジングとムービングプレートを有する雄ハウジングとが嵌合可能に設けられ、前記雄ハウジングは、前方に開口するフード部と、そのフード部内の奥壁から前方に突出する雄タブと、前記フード部の内周面に設けられているストッパ面とが設けられ、前記雌ハウジングは、前記雄ハウジングとの嵌合面寄りにおける外周面において外方に突出して設けられている連係部と、前後方向に沿って貫通するキャビティとが設けられ、そのキャビティ内には後方から雌端子が挿入されており、その雌端子は、前記嵌合操作に伴って前記雄タブと導通可能に接続し、前記ムービングプレートは、前記雌ハウジング単体の状態における初期位置と前記両ハウジングが嵌まり合った状態における嵌合位置との間を移動可能に前記フード部内に組み込まれ、前記嵌合方向に対して直交するプレート本体と、前記連係部が係止する主係止部と、前記ストッパ面と解除可能に係止して前記嵌合位置側への移動を規制する副係止部とから構成され、前記主係止部と前記連係部との係止力が前記副係止部と前記ストッパ面との係止力よりも大きめとなるように設定されており、前記プレート本体には、前記嵌合方向に貫通する複数の端子挿通孔が開口し、前記雄タブは、前記ムービングプレートが前記初期位置にあるときには前記雄タブの前端部を前記端子挿通孔に挿通させることで位置決め状態に保持されているとともに、前記嵌合操作に伴って前記主係止部と前記連係部とが係止したときには前記端子挿通孔の孔縁とこの端子挿通孔より前記雄タブの前端側に位置する前記タブ挿通孔の孔縁との双方によって所定間隔を保有した状態で前記雄タブの前端部が２点支持されているコネクタであって、前記嵌合操作に伴って前記副係止部と前記ストッパ面との係止状態が解除されることで、前記所定間隔を保有したまま前記ムービングプレートが前記初期位置から前記嵌合位置へ移動し、前記嵌合位置に至ると前記プレート本体が前記フード部の奥壁に当接して前記ムービングプレートの移動が規制されるとともに、前記主係止部と前記連係部との係止状態が解除されることで、前記雄タブを２点支持しつつ前記雌ハウジングが前記プレート本体側へ移動し、前記両ハウジングが正規嵌合に至る構成としたところに特徴を有する。
【０００５】
請求項２の発明は、請求項１に記載のものにおいて、前記ムービングプレートは、前記プレート本体の外周縁部から立ち上がる側壁を有し、前記主係止部が前記側壁の内面側に設けられており、前記雌ハウジングが前記側壁の内側に入り込むところに特徴を有する。
【０００６】
請求項３の発明は、請求項１または請求項２に記載のものにおいて、前記フード部において前記ストッパ面よりも押し込み方向前方には、前記副係止部が前記ストッパ面を乗り越えた後、復帰して入り込むための逃がし空間が前記フード部の内周面を除肉することにより形成されているところに特徴を有する。
【０００７】
請求項４の発明は、請求項１ないし請求項３のいずれかに記載のものにおいて、前記ムービングプレートは、前記初期位置にあるときに前記フード部の内周面に配されている移動規制面と係止して抜け方向への移動を規制するための抜止め部を備えており、その抜止め部と前記移動規制面との係止力が前記主係止部と前記連係部との係止力よりも大きめとなるように設定されることで、前記両ハウジングの離脱操作に伴って前記主係止部と前記連係部とが係止して前記ムービングプレートが前記嵌合位置から前記初期位置へ連れ戻されると、前記抜止め部と前記移動規制面とが係止して前記主係止部と前記連係部との係止状態が解除されることで、前記ムービングプレートを前記初期位置に保持したまま前記雌ハウジングが引き抜かれるところに特徴を有する。
【０００８】
請求項５の発明は、請求項１ないし請求項４のいずれかに記載のものにおいて、前記雌端子は、前記嵌合操作に伴って前記雄タブと接触する舌片を有し、前記初期位置は、前記嵌合操作に伴って前記主係止部と前記連係部とが係止した段階では前記雄タブが前記舌片に接触しないような位置であるところに特徴を有する。
【発明の効果】
【０００９】
＜請求項１の発明＞
請求項１の発明によると、雌ハウジングは、嵌合操作に伴って主係止部が連係部と係止して雌ハウジングの嵌合面とプレート本体との間に所定間隔を保有したままムービングプレートを初期位置から嵌合位置へと移動させることができる。この後、プレート本体がフード部の奥壁に当接してムービングプレートの移動が規制されて、主係止部と連係部との係止状態が解除されることで、雌ハウジングがプレート本体側へと移動し、両ハウジングが正規嵌合に至る。これにより、雄タブは、嵌合途上では端子挿通孔の孔縁とタブ挿通孔の孔縁との双方によって２点支持され、姿勢矯正された状態で両ハウジングの嵌合を行うことができる。
【００１０】
＜請求項２の発明＞
請求項２の発明によると、両ハウジングの嵌合に伴って雌ハウジングがムービングプレートの側壁の内側に入り込み、側壁の内面側に設けられている主係止部と雌ハウジングに設けられている連係部とが係止する。この結果、雌ハウジングは、雄タブの軸心とタブ挿通孔の軸心とが整合した状態で挿入されることになるから、雄タブをタブ挿通孔に確実に挿入することができる。
【００１１】
＜請求項３の発明＞
請求項３の発明によると、副係止部は、両ハウジングの嵌合操作に伴ってストッパ面を乗り越えた後、逃がし空間に入り込んで復帰することができる。したがって、両ハウジングの嵌合操作力を低減させることができるとともに、副係止部が撓んだままの状態となって塑性変形し、ストッパ面との係止力が低下することが規制される。
【００１２】
＜請求項４の発明＞
請求項４の発明によると、両ハウジングの離脱操作に伴って主係止部と連係部とが係止してムービングプレートが嵌合位置から初期位置に至ると、抜止め部と移動規制面とが係止して主係止部と連係部との係止状態が解除されることで、ムービングプレートを初期位置に保持した状態のまま雌ハウジングのみを引き抜くことができる。この結果、両ハウジングの離脱操作に伴ってムービングプレートが抜けてしまうことを防ぐことができるとともに、次回嵌合する際に、改めてムービングプレートを初期位置にセットし直す必要がなく、嵌合開始時の手間を省くことができる。
【００１３】
＜請求項５の発明＞
請求項５の発明によると、初期位置に保持されている主係止部と連係部とが係止したときに、雄タブが舌片と接触しないようにすることができる。すなわち、ムービングプレートが初期位置にあるときに押し込み忘れがあったとしても、舌片と雄タブが導通していないため、作業者が正規嵌合状態であると誤認するおそれがなく、不完全な嵌合状態のまま放置されることを規制可能である。
【発明を実施するための最良の形態】
【００１４】
＜実施形態１＞
本発明の実施形態１を図１ないし図１０によって説明する。本実施形態におけるコネクタ１は、図１に示すように、互いに嵌合可能な雄コネクタＭと雌コネクタＦとを備えており、雄コネクタＭの内部には、ムービングプレート３０が組み込まれている。ムービングプレート３０は、両コネクタＦ，Ｍの嵌合開始時に雄コネクタＭ内の雄タブ１１の位置決めを行っており、両コネクタＦ，Ｍの嵌合および離脱操作に伴って雌コネクタＦと連動して移動可能とされている。尚、本実施形態において前後方向とは両コネクタＦ，Ｍの嵌合方向を基準として嵌合面側を前方とする。
【００１５】
雌コネクタＦは、合成樹脂製の雌ハウジング２０を有している。雌ハウジング２０は、略方形のブロック状をなし、雄コネクタＭの後述するフード部１３内に嵌合可能とされている。雌ハウジング２０の内部には、複数の雌キャビティ２１が前後方向に貫通している。雌キャビティ２１の内部には、後方から雌端子２２が挿入可能とされており、雌ハウジング２０の嵌合面を構成している前面壁２３によって前止まりがなされるようにされている。雌ハウジング２０の外周面における嵌合面側は内方に一段低く縮径されており、この縮径部２４はムービングプレート３０内に嵌合可能とされている。縮径部２４の外周面には、連係部２５が上下一対設けられている。
【００１６】
雌端子２２は、略角筒状をなすタブ接続部２２Ａを備えている。タブ接続部２２Ａの前面には、後述する雄タブ１１をタブ接続部２２Ａの内部に嵌入するための嵌入口（図示しない）が貫通形成されている。また、タブ接続部２２Ａの内部には、両コネクタＦ，Ｍの嵌合に伴って雄タブ１１と導通可能に接続される舌片（図示しない）が設けられている。前面壁２３において嵌入口と同軸上をなす位置には、タブ挿通孔２６が貫通形成されている。これにより、雄タブ１１は、タブ挿通孔２６および嵌入口を通じてタブ接続部２２Ａの内部に進入し、舌片と接触可能とされている。尚、雌端子２２においてタブ接続部２２Ａの後方に配されているバレル部には、電線Ｗが導通可能に圧着接続されている。
【００１７】
雌キャビティ２１の内部には、ランス２７が前方に突出する形態で撓み可能に設けられている。ランス２７は、タブ接続部２２Ａの側面に形成されている係止段部に係止することで、雌端子２２を後方へ抜止め状態に保持している。雌ハウジング２０には、幅方向に沿って雌キャビティ２１を横切るようにしてリテーナ装着孔２８が貫通形成されている。リテーナ装着孔２８には、リテーナ２９が装着されている。リテーナ２９は、タブ接続部２２Ａの後端に係止することで、雌端子２２を後方へ抜止め状態に保持している。したがって、雌端子２２は、ランス２７とリテーナ２９との双方によって二重係止されることで、より確実に後方への抜止めが図られている。
【００１８】
雄コネクタＭは、合成樹脂製の雄ハウジング１０を有している。雄ハウジング１０は、前後方向に貫通する形態で筒状をなしており、雄ハウジング１０の内部には、サブコネクタＳが前後方向に抜止めされた状態で収容されている。サブコネクタＳは、樹脂製の雄タブ収容部１２を備えており、その雄タブ収容部１２内には、複数の雄キャビティ１４が前後方向に貫通形成されている。雄ハウジング１０において雄タブ収容部１２より前方部分には、前方に開口するフード部１３が形成されている。フード部１３内の奥方には、ムービングプレート３０が組み込まれている。
【００１９】
雄キャビティ１４の内部には、後方から雄タブ１１が挿入可能とされている。雄タブ１１は、タブ状をなす接触部と、この接触部と連続しつつ略角筒状をなし、雄タブ１１を後方へ抜止め状態に保持するための保持部とを備えている。雄タブ１１の抜止め構造は、雌端子２２と同様であるため、その説明については簡略化する。すなわち、雄タブ１１は、雄キャビティ１４の内部に設けられているランス１５と、雄キャビティ１４を幅方向に横切るようにして装着されているリテーナ１６との双方によって二重係止されている。雄タブ１１が雄キャビティ１４内に挿入された状態では、雄タブ１１の接触部は、フード部１１内の奥壁（すなわち雄タブ収容部１２の前面）から前方に突出している。尚、雌タブ１１において保持部１１Ｂの後方に配されているバレル部には、電線Ｗが導通可能に圧着接続されている。
【００２０】
ムービングプレート３０は合成樹脂製で、フード部１３の内部において初期位置と嵌合位置との間を平行に移動可能とされている。図７は、ムービングプレート３０の正面図を示しており、ムービングプレート３０は、略方形の板状をなし、複数の端子挿通孔３１が開口しているプレート本体３２と、そのプレート本体３２の外周縁部から両コネクタＦ，Ｍの嵌合方向に沿って立ち上がる側壁３３とを備えている。側壁３３は、両コネクタＦ，Ｍの嵌合方向から見て長辺側の１辺が切り欠かれた断面略コの字状に形成されている。図１０は、ムービングプレート３０の背面図を示しており、端子挿通孔３１の孔縁部には、ムービングプレート３０をフード部１３内に組み込む際に雄タブ１１を誘導するための誘い込み面３１Ａがすり鉢状に形成されている。
【００２１】
本実施形態において初期位置とは、図１に示すように、雌コネクタＦの単体時におけるムービングプレート３０の位置であって、雄タブ収容部１２とプレート本体３２との間に所定間隔が保有され、かつ雄タブ１１の前端部を端子挿通孔３１に挿通させる位置をいう。これにより、ムービングプレート３０が初期位置にあるときにタブ挿通孔２６の孔縁によって雄タブ１１が位置決め状態に保持可能とされている。一方、嵌合位置とは、図５に示すように、両コネクタＦ，Ｍが嵌まり合った状態におけるムービングプレート３０の位置であって、雄タブ収容部１２の前面とプレート本体３２とが当接状態となる位置をいう。
【００２２】
側壁３３の外面のうち短辺側と長辺側に相当する面における略中央には、図示３個の抜止め部３４がそれぞれ外方に突出して形成されている。抜止め部３４は、図８または図９に示すように、プレート本体３２寄りに配されている。一方、フード部１３の内周面において抜止め部３４と対応する位置には、前後方向に沿ってガイド溝が形成されており、ムービングプレート３０の移動を案内している。このガイド溝を構成する前端面は、移動規制面１７とされている。抜止め部３４は、ムービングプレート３０が初期位置にあるときには移動規制面１７と係止することで、ムービングプレート３０の抜け方向への移動を規制している。
【００２３】
側壁３３の外面のうち短辺側に相当する面において抜止め部３４を挟む両側縁部には、図示４個の主係止部３５と図示４個の副係止部３６とが前後方向に並んで配されている。主係止部３５は、図１に示すように、ムービングプレート３０の前後方向における略中央部において内方に突出する形態で、撓み不能に形成されている。一方、副係止部３６は、主係止部３５の付け根部分を基端部として後方に突出し、その後端側から外方に突出する形態であって、かつ後端側が内外方向に撓み可能に形成されている。副係止部３６の後端側は、側壁３３の外面から突出する高さ位置とされている。
【００２４】
フード部１３の内周面において副係止部３６と対応する位置には、ストッパ面１８が形成されている。ストッパ面１８は、ムービングプレート３０が初期位置にあるときに副係止部３６と解除可能に係止しており、ムービングプレート３０が不用意に初期位置から嵌合位置へ移動することを規制している。また、ストッパ面１８の後方（雌コネクタＦの押し込み方向前方）には、前後方向に沿ってフード部１３の内周面を除肉することで、逃がし空間１９が形成されている。逃がし空間１９は、両コネクタＦ，Ｍの嵌合に伴って副係止部３６とストッパ面１８との係止状態が解除されて副係止部３６がストッパ面１８を乗り越えた後、復帰可能としている。これにより、副係止部３６は、フード部１３の内周面と干渉することが回避され、両コネクタＦ，Ｍの嵌合操作力を低減可能としている。
【００２５】
図２は、両コネクタＦ，Ｍの嵌合操作に伴って雌コネクタＦの縮径部２４が側壁３３の内側に進入し、連係部２５が主係止部３５に係止した状態を示している。この間、雌ハウジングＦは、雄タブ１１の軸心とタブ挿通孔２６の軸心とが整合した状態で挿入されることになるから、雄タブ１１をタブ挿通孔２６に確実に挿入することができる。このとき、雄タブ１１の前端部は、タブ挿通孔２６内に入り込んでおり、雄タブ１１が、端子挿通孔３１の孔縁とタブ挿通孔２６の孔縁とによって２点支持されている。さらに、雄タブ１１の前端部は、雌端子２２のタブ接続部２２Ａの外側に位置しており、タブ接続部２２Ａ内の舌片と接触しないように初期位置が設定されている。これにより、ムービングプレート３０が初期位置にあるときに押し込み忘れがあったとしても、両コネクタＦ，Ｍが不完全な嵌合状態に放置されることを規制可能である。
【００２６】
主係止部３５と連係部２５との係止力は、副係止部３６とストッパ面１８との係止力よりも大きめとなるように設定されている。これにより、図３に示すように、両コネクタＦ，Ｍの嵌合操作に伴って主係止部３５と連係部２５とが係止状態を保持したまま副係止部３６がストッパ面１８を乗り越えて逃がし空間１９内に入り込むとともに、雄タブ１１の前端部が雌端子２２のタブ接続部２２Ａ内に進入するようにされている。この後、両コネクタＦ，Ｍの嵌合操作を続けると、ムービングプレート３０は、図４に示すように、プレート本体３２と雄タブ収容部１２との間に所定間隔を保有したまま初期位置から嵌合位置へ移動することになる。この間、雄タブ１１は、端子挿通孔３１の孔縁とタブ挿通孔２６の孔縁との双方によって２点支持された状態に保持され、雄タブ１１の姿勢矯正を行いつつ両コネクタＦ，Ｍの嵌合を行うことができる。さらに、両コネクタＦ，Ｍの嵌合操作を続けると、主係止部３５が連係部２５を乗り越えて、図５に示すように、両コネクタＦ，Ｍが正規嵌合に至るようにされている。
【００２７】
図６は、両コネクタＦ，Ｍの離脱操作時において副係止部３６がストッパ面１８に係止した状態を示している。副係止部２６とストッパ面１８の係止力は、主係止部３５と連係部２５の係止力よりも小さいため、副係止部３６がストッパ面１８を構成する部分を乗り越えて、ムービングプレート３０が初期位置に至るようにされている。ここで、抜止め部３４と移動規制面１７との係止力が主係止部３５と連係部２５との係止力よりも大きめとなるように設定されているため、抜止め部３４と移動規制面１７との係止状態を保持したまま、主係止部３５と連係部２５との係止状態を解除することができる。したがって、ムービングプレート３０を初期位置に保持したまま雌コネクタＦのみを引き抜くことができる。
【００２８】
本実施形態は以上のような構造であって、続いてその作用を説明する。  
まず、両コネクタＦ，Ｍの嵌合前に、ムービングプレート３０のフード部１３内への組み付けを行う。この組み付けに際しては、図１に示すように、雄タブ１１の前端部は、プレート本体３２の誘い込み面３１Ａによって案内され、ムービングプレート３０が初期位置に組み付けられる。このとき、ムービングプレート３０は、副係止部３６とストッパ面１８とが係止することで初期位置から嵌合位置へ不用意に移動することが規制される。また、ムービングプレート３０は、抜止め部３４が移動規制面１７と係止することで初期位置から抜け方向への移動が規制される。さらに、プレート本体３２と雄タブ収容部１２との間には所定間隔が保有されており、雄タブ１１の前端部が、端子挿通孔３１の孔縁によって１点支持されているため、雄タブ１１は、位置決め状態に保持される。
【００２９】
次に、両コネクタＦ，Ｍの嵌合を行う。両コネクタＦ，Ｍは、嵌合操作に伴って縮径部２４が側壁３３の内面によって案内され、雄タブ１１の軸心とタブ挿通孔２６の軸心とが整合し、図２に示すように、連係部２５が主係止部３５に係止する。このとき、雄タブ１１の前端部が雌端子２２のタブ接続部２２Ａと非接触状態にあるため、この段階で押し込み忘れがあったとしても、両コネクタＦ，Ｍが不完全な嵌合状態に放置されることが規制される。また、雄タブ１１の前端部は、端子挿通孔３１の孔縁とタブ挿通孔２６の孔縁との双方によって２点支持されることで、雄タブ１１の姿勢が矯正されて、正規姿勢でタブ接続部２２Ａ内に進入させることができる。
【００３０】
引き続き、プレート本体３２と雌ハウジングとの間を前記所定間隔に保持したまま嵌合操作を行うと、図３に示すように、副係止部３６がストッパ面１８を乗り越えて、逃がし空間１９内に入り込んで復帰する。さらに、嵌合操作を行うと、図４に示すように、前記所定間隔を保持したままムービングプレート３０が嵌合位置に到達し、プレート本体３２が雄タブ収容部１２に当接する。このとき、ムービングプレート３０の移動が規制されているため、嵌合操作に伴って主係止部３５と連係部２５との係止状態が解除されるとともに、雄タブ収容部１２がプレート本体３２側へ移動し、図５に示すように、両コネクタＦ，Ｍが正規嵌合に至る。この状態では、主係止部３５は、連係部２５を乗り越えた後、復帰し、連係部２５の嵌合方向における両側面のうち嵌合面と反対側の側面に係止した状態とされている。この間、雄タブ１１は、端子挿通孔３１の孔縁とタブ挿通孔２６の孔縁との双方によって２点支持されており、雄タブ１１が姿勢矯正された状態のまま両コネクタＦ，Ｍの嵌合操作を行うことができる。
【００３１】
続いて、両コネクタＦ，Ｍの離脱操作を説明する。両コネクタＦ，Ｍを離脱方向に引き抜くと、主係止部３５と連係部２５とが係止して、ムービングプレート３０が嵌合位置から初期位置側へ移動する。離脱途上では、図６に示すように、副係止部３６がストッパ面１８に係止する。このとき、主係止部３５と連係部２５との係止力が、副係止部３６とストッパ面１８との係止力よりも大きいため、副係止部３６がストッパ面１８を乗り越えて、ムービングプレート３０が初期位置に至る。このとき、抜止め部３４が移動規制面１７に係止しているものの、抜止め部３４と移動規制面１７との係止力が、主係止部３５と連係部２５との係止力よりも大きいため、連係部２５が主係止部３５を乗り越えて、ムービングプレート３０を初期位置に保持したまま雌コネクタＦのみを雄コネクタＭから引き抜くことができる（図１状態）。尚、ムービングプレート３０は、初期位置に位置しているため、次回嵌合操作を行う際には、改めて初期位置にセットし直す必要がなく、嵌合開始時の手間を省くことができる。
【００３２】
以上のように、本実施形態では、以下に列記する効果を奏することが可能である。  
１．雌コネクタＦは、嵌合操作に伴って主係止部３５が連係部２５と係止して雌コネクタＦの嵌合面とプレート本体３２との間に所定間隔を保有したままムービングプレート３０を初期位置から嵌合位置へと移動させることができる。この後、プレート本体３２がフード部１３内の奥壁に当接してムービングプレート３０の移動が規制されて、主係止部３５と連係部２５との係止状態が解除されることで、雌コネクタＦがプレート本体３２側へと移動し、両コネクタＦ，Ｍが正規嵌合に至る。これにより、雄タブ１１は、嵌合途上では端子挿通孔３１の孔縁とタブ挿通孔２６の孔縁との双方によって２点支持され、姿勢矯正された状態で両コネクタＦ，Ｍの嵌合を行うことができる。
【００３３】
２．両コネクタＦ，Ｍの嵌合に伴って雌コネクタＦがムービングプレート３０の側壁３３の内側に入り込み、側壁３３の内面側に設けられている主係止部３５と雌コネクタＦに設けられている連係部２５とが係止する。この結果、雌ハウジングＦは、雄タブ１１の軸心とタブ挿通孔２６の軸心とが整合した状態で挿入されることになるから、雄タブ１１をタブ挿通孔２６に確実に挿入することができる。
【００３４】
３．副係止部３６は、両コネクタＦ，Ｍの嵌合操作に伴ってストッパ面１８を乗り越えた後、逃がし空間１９に入り込んで復帰することができる。したがって、両コネクタＦ，Ｍの嵌合操作力を低減させることができるとともに、副係止部３６が撓んだままの状態となって塑性変形し、ストッパ面１８との係止力が低下することが規制される。
【００３５】
４．両コネクタＦ，Ｍの離脱操作に伴って主係止部３５と連係部２５とが係止してムービングプレート３０が嵌合位置から初期位置に至ると、抜止め部３４と移動規制面１７とが係止して主係止部３５と連係部２５との係止状態が解除されることで、ムービングプレート３０を初期位置に保持した状態のまま雌コネクタＦを引き抜くことができる。この結果、両コネクタＦ，Ｍの離脱操作に伴ってムービングプレート３０が抜けてしまうことを防ぐことができるとともに、次回嵌合する際に、改めてムービングプレート３０を初期位置にセットし直す必要がなく、嵌合開始時の手間を省くことができる。
【００３６】
５．初期位置に保持されている主係止部３５と連係部２５とが係止したときに、雄タブ１１が舌片と接触しないようにすることができる。すなわち、ムービングプレート３０が初期位置にあるときに押し込み忘れがあったとしても、舌片と雄タブ１１が導通していないため、作業者が正規嵌合状態であると誤認するおそれがなく、不完全な嵌合状態のまま放置されることを規制可能である。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３８】
（１）実施形態１においては、連係部２５が撓み可能で、かつ主係止部３５が撓み不能であるものを例示しているが、本発明によると、連係部２５が撓み不能で、かつ主係止部３５が撓み可能であるものであってもよい。
【００３９】
（２）実施形態１においては、ストッパ面１８を構成する部分が撓み不能で、かつ副係止部３６が撓み可能であるものを例示しているが、本発明によると、ストッパ面１８を構成する部分が撓み可能で、副係止部３６が撓み不能であるものであってもよい。
【００４０】
（３）実施形態１においては、抜止め部３４を側壁３３の外面から突出して設け、かつ移動規制面１７をフード部１３の内周面より凹んだ位置に設けたものを例示しているが、本発明によると、抜止め部３４を側壁３３の外面より凹んだ位置とし、かつ移動規制面１７をフード部１３の内周面から突出して設けてもよい。
【図面の簡単な説明】
【００４１】
【図１】実施形態１において両コネクタの嵌合前の状態を示す断面図
【図２】その嵌合操作に伴って主係止部と連係部とが係止した状態を示す断面図
【図３】その副係止部がストッパ面を乗り越えた状態を示す断面図
【図４】その雌ハウジングとプレート本体とが所定間隔を保有しつつムービングプレートが嵌合位置に押し込まれた状態を示す断面図
【図５】その両コネクタが正規嵌合した状態を示す断面図
【図６】その離脱操作に伴ってムービングプレートが抜け方向に連れ戻される状態を示す断面図
【図７】そのムービングプレートの正面図
【図８】その側面図
【図９】その平面図
【図１０】その背面図
【符号の説明】
【００４２】
１…コネクタ
１０…雄ハウジング
１１…雄タブ
１３…フード部
１７…移動規制面
１８…ストッパ面
１９…逃がし空間
２０…雌ハウジング
２１…雌キャビティ
２２…雌端子
２３…前面壁
２５…連係部
２６…タブ挿通孔
３０…ムービングプレート
３１…端子挿通孔
３２…プレート本体
３３…側壁
３４…抜止め部
３５…主係止部
３６…副係止部
Ｆ…雌コネクタ
Ｍ…雄コネクタ
【図１】
2007317442.tif 000003
【図２】
2007317442.tif 000004
【図３】
2007317442.tif 000005
【図４】
2007317442.tif 000006
【図５】
2007317442.tif 000007
【図６】
2007317442.tif 000008
【図７】
2007317442.tif 000009
【図８】
2007317442.tif 000010
【図９】
2007317442.tif 000011
【図１０】
2007317442.tif 000012